【手続補正書】
【提出日】平成26年6月27日(2014.6.27)
【手続補正１】
【補正対象書類名】明細書
【補正対象項目名】０００７
【補正方法】変更
【補正の内容】
【０００７】
本願発明は、ユーザ毎に割り当てられた記憶領域で前記ユーザ毎の画像を管理する画像管理装置であって、前記ユーザ毎に割り当てられた記憶領域で管理する画像にアクセス可能な会員アカウントを記憶する会員アカウント記憶手段と、前記ユーザ毎に割り当てられた記憶領域の中に作成された投稿アルバムに招待された招待者の端末から、前記招待された投稿アルバムでの閲覧を共有する投稿画像を受け付ける画像受付手段と、前記受け付けた投稿画像を、前記招待された投稿アルバムで表示すべく、前記投稿アルバムを作成したユーザに割り当てられた記憶領域に保存する保存手段と、前記招待された投稿アルバムにアクセスが可能なアカウントであって、前記投稿アルバムに招待された招待者を識別可能なアカウントを受信するアカウント受信手段と、前記アカウント受信手段で受信したアカウントが、前記記憶手段が記憶する会員アカウントであるか否かを判定する会員判定手段とを備え、前記保存手段は、前記会員アカウントを持たない投稿者からの投稿であって前記画像受付手段で受付けた投稿画像を、前記投稿アルバムを作成したユーザに割り当てられた記憶領域に保存し、一方、前記会員判定手段によって前記アカウント受信手段で受信したアカウントが前記会員アカウントであると判定された投稿者からの投稿であって前記画像受付手段で受付けた投稿画像を、前記投稿アルバムを作成したユーザに割り当てられた記憶領域に保存するとともに当該投稿画像を投稿したユーザに割り当てられた記憶領域に新規登録することを特徴とする。
【手続補正２】
【補正対象書類名】明細書
【補正対象項目名】０００８
【補正方法】変更
【補正の内容】
【０００８】
また、前記投稿アルバムに招待するユーザを識別するためのアカウントの情報を含むメールを、前記投稿アルバムに招待されるユーザに送付するメール送付手段とをさらに備えることを特徴とする。
また、前記投稿アルバムに招待されるユーザを識別可能な前記アカウントをアクセストークンとしてハッシュ化したＵＲＬを作成するアクセスＵＲＬ作成手段をさらに備え、前記メール送付手段は、前記アクセスＵＲＬ作成手段が作成した前記ＵＲＬを記載したメールを送付することを特徴とする。
【手続補正３】
【補正対象書類名】明細書
【補正対象項目名】０００９
【補正方法】変更
【補正の内容】
【０００９】
また、前記アカウント受信手段の受付けるアカウントを、会員アカウントでないゲストとしてログインするか、会員アカウントでログインするかの選択を、招待者から受け付けるログイン選択受付手段をさらに備え、前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする。
また、前記画像受付手段は、前記ユーザ毎に割り当てられた記憶領域からも、前記投稿画像を受け付け可能であって、前記保存手段は、前記ユーザ毎に割り当てられた記憶領域から投稿される前記投稿画像を受け付けた場合には、前記受け付けた投稿画像を前記投稿アルバムを作成したユーザに割り当てられた記憶領域に保存し、当該投稿画像を投稿したユーザに割り当てられた記憶領域には新規登録しないことを特徴とする。
【手続補正４】
【補正対象書類名】特許請求の範囲
【補正対象項目名】全文
【補正方法】変更
【補正の内容】
【特許請求の範囲】
【請求項１】
ユーザ毎に割り当てられた記憶領域で前記ユーザ毎の画像を管理する画像管理装置であって、
前記ユーザ毎に割り当てられた記憶領域で管理する画像にアクセス可能な会員アカウントを記憶する会員アカウント記憶手段と、
前記ユーザ毎に割り当てられた記憶領域の中に作成された投稿アルバムに招待された招待者の端末から、前記招待された投稿アルバムでの閲覧を共有する投稿画像を受け付ける画像受付手段と、
前記受け付けた投稿画像を、前記招待された投稿アルバムで表示すべく、前記投稿アルバムを作成したユーザに割り当てられた記憶領域に保存する保存手段と、
前記招待された投稿アルバムにアクセスが可能なアカウントであって、前記投稿アルバムに招待された招待者を識別可能なアカウントを受信するアカウント受信手段と、
前記アカウント受信手段で受信したアカウントが、前記記憶手段が記憶する会員アカウントであるか否かを判定する会員判定手段とを備え、
前記保存手段は、前記会員アカウントを持たない投稿者からの投稿であって前記画像受付手段で受付けた投稿画像を、前記投稿アルバムを作成したユーザに割り当てられた記憶領域に保存し、一方、前記会員判定手段によって前記アカウント受信手段で受信したアカウントが前記会員アカウントであると判定された投稿者からの投稿であって前記画像受付手段で受付けた投稿画像を、前記投稿アルバムを作成したユーザに割り当てられた記憶領域に保存するとともに当該投稿画像を投稿したユーザに割り当てられた記憶領域に新規登録することを特徴とする画像管理装置。
【請求項２】
前記投稿アルバムに招待するユーザを識別するためのアカウントの情報を含むメールを、前記投稿アルバムに招待されるユーザに送付するメール送付手段と、
をさらに備えることを特徴とする請求項１に記載の画像管理装置。
【請求項３】
前記投稿アルバムに招待されるユーザを識別可能な前記アカウントをアクセストークンとしてハッシュ化したＵＲＬを作成するアクセスＵＲＬ作成手段をさらに備え、
前記メール送付手段は、前記アクセスＵＲＬ作成手段が作成した前記ＵＲＬを記載したメールを送付することを特徴とする請求項２に記載の画像管理装置。
【請求項４】
前記アカウント受信手段の受付けるアカウントを、会員アカウントでないゲストとしてログインするか、会員アカウントでログインするかの選択を、招待者から受け付けるログイン選択受付手段をさらに備え、
前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする請求項１乃至３のいずれか１項に記載の画像管理装置。
【請求項５】
前記画像受付手段は、前記ユーザ毎に割り当てられた記憶領域からも、前記投稿画像を受け付け可能であって、
前記保存手段は、前記ユーザ毎に割り当てられた記憶領域から投稿される前記投稿画像を受け付けた場合には、前記受け付けた投稿画像を前記投稿アルバムを作成したユーザに割り当てられた記憶領域に保存し、当該投稿画像を投稿したユーザに割り当てられた記憶領域には新規登録しないことを特徴とする画像管理装置。
【請求項６】
ユーザ毎に割り当てられた記憶領域で前記ユーザ毎の画像を管理するとともに、前記ユーザ毎に割り当てられた記憶領域で管理する画像にアクセス可能な会員アカウントを記憶する会員アカウント記憶手段を備えた画像管理装置の制御方法であって、
前記画像管理装置の画像受付手段が、前記ユーザ毎に割り当てられた記憶領域の中に作成された投稿アルバムに招待された招待者の端末から、前記招待された投稿アルバムでの閲覧を共有する投稿画像を受け付ける画像受付工程と、
前記画像管理装置の保存手段が、前記受け付けた投稿画像を、前記招待された投稿アルバムで表示すべく、前記投稿アルバムを作成したユーザに割り当てられた記憶領域に保存する保存工程と、
前記画像管理装置のアカウント受信手段が、前記招待された投稿アルバムにアクセスが可能なアカウントであって、前記投稿アルバムに招待された招待者を識別可能なアカウントを受信するアカウント受信工程と、
前記画像管理装置の会員判定手段が、前記アカウント受信工程で受信したアカウントが、前記記憶手段が記憶する会員アカウントであるか否かを判定する会員判定工程と含み、
前記保存工程は、前記会員アカウントを持たない投稿者からの投稿であって前記画像受付工程で受付けた投稿画像を、前記投稿アルバムを作成したユーザに割り当てられた記憶領域に保存し、一方、前記会員判定工程によって前記アカウント受信工程で受信したアカウントが前記会員アカウントであると判定された投稿者からの投稿であって前記画像受付工程で受付けた投稿画像を、前記投稿アルバムを作成したユーザに割り当てられた記憶領域に保存するとともに当該投稿画像を投稿したユーザに割り当てられた記憶領域に新規登録することを特徴とする制御方法。
【請求項７】
ユーザ毎に割り当てられた記憶領域で前記ユーザ毎の画像を管理するとともに、前記ユーザ毎に割り当てられた記憶領域で管理する画像にアクセス可能な会員アカウントを記憶する会員アカウント記憶手段を備える画像管理装置で読み取り実行可能なプログラムであって、
前記画像管理装置を、
前記ユーザ毎に割り当てられた記憶領域の中に作成された投稿アルバムに招待された招待者の端末から、前記招待された投稿アルバムでの閲覧を共有する投稿画像を受け付ける画像受付手段と、
前記受け付けた投稿画像を、前記招待された投稿アルバムで表示すべく、前記投稿アルバムを作成したユーザに割り当てられた記憶領域に保存する保存手段と、
前記招待された投稿アルバムにアクセスが可能なアカウントであって、前記投稿アルバムに招待された招待者を識別可能なアカウントを受信するアカウント受信手段と、
前記アカウント受信手段で受信したアカウントが、前記記憶手段が記憶する会員アカウントであるか否かを判定する会員判定手段として機能させ、
前記保存手段は、前記会員アカウントを持たない投稿者からの投稿であって前記画像受付手段で受付けた投稿画像を、前記投稿アルバムを作成したユーザに割り当てられた記憶領域に保存し、一方、前記会員判定手段によって前記アカウント受信手段で受信したアカウントが前記会員アカウントであると判定された投稿者からの投稿であって前記画像受付手段で受付けた投稿画像を、前記投稿アルバムを作成したユーザに割り当てられた記憶領域に保存するとともに当該投稿画像を投稿したユーザに割り当てられた記憶領域に新規登録することを特徴とするプログラム。